(57)【特許請求の範囲】
【請求項１】
複数の業務の一覧表示が可能な表示手段と、
該表示手段に表示された複数の業務の一覧表示の中から所望の業務を選択可能な操作手段と、
受付番号が印字された整理券を発券する発券手段と、
前記受付番号を報知して複数の窓口の中から特定の窓口への誘導を行う呼出手段と、
前記操作手段による選択結果に基づいて前記発券手段の発券を制御するとともに、前記呼出手段による受付番号の報知を制御する制御手段とを備える受付番号発券システムにおいて、
前記表示手段は、
各業務を担当する複数の担当者の一覧表示が可能であり、
前記操作手段は、
前記表示手段の前面に配置されたタッチパネル手段によって構成され、複数の担当者の一覧表示の中から特定の担当者表示を選択可能に構成されるとともに、前記表示手段の表示内容の切換操作を行う切換操作手段を備え、
該切換操作手段は、
前記表示手段の複数の業務が表示される領域以外の画面領域に表示される、切換操作を想起しない隠しボタンの位置を示す目印としてのロゴ、文字、デザイン模様、アイコンのいずれか一つまたは複数を組み合わせた表示構成上に配置され、
前記制御手段は、
前記切換操作手段による前記表示手段の表示内容の切換操作に基づいて、前記表示手段の複数の業務の一覧表示を複数の担当者の一覧表示に切換える表示制御を行うとともに、前記操作手段による担当者表示の選択結果に基づいて前記発券手段の発券制御を行うことを特徴とする受付番号発券システム。
【請求項２】
複数の業務の一覧表示が可能な表示手段と、
該表示手段に表示された複数の業務の一覧表示の中から所望の業務を選択可能な操作手段と、
受付番号が印字された整理券を発券する発券手段と、
前記受付番号を報知して複数の窓口の中から特定の窓口への誘導を行う呼出手段と、
前記操作手段による選択結果に基づいて前記発券手段の発券を制御するとともに、前記呼出手段による受付番号の報知を制御する制御手段とを備える受付番号発券システムにおいて、
前記表示手段は、
各業務を担当する複数の担当者の一覧表示が可能であり、
前記操作手段は、
前記表示手段に隣接して配置される複数のスイッチ手段によって構成され、複数の担当者の一覧表示の中から特定の担当者表示を選択可能に構成されるとともに、前記表示手段の表示内容の切換操作を行う機能が、前記複数のスイッチ手段のうち、予め設定された所定の複数のスイッチ手段の同時操作に割り当てられており、
前記制御手段は、
前記操作手段による前記表示手段の表示内容の切換操作に基づいて、前記表示手段の複数の業務の一覧表示を複数の担当者の一覧表示に切換える表示制御を行うとともに、前記操作手段による担当者表示の選択結果に基づいて前記発券手段の発券制御を行うことを特徴とする受付番号発券システム。
【請求項３】
顧客情報を読み取る顧客情報読取手段を備え、該顧客情報読取手段で読み取った顧客情報に基づいて、当該顧客が担当者の選択を行う顧客であると判定された場合に、前記表示手段の表示を複数の担当者の一覧表示に切換えることを特徴とする請求項１又は２に記載の受付番号発券システム。
【請求項４】
前記制御手段は、前記操作手段で担当者表示の選択操作が行われた場合、選択された当該担当者表示の受付情報を記憶し、前記業務が選択された場合とは異なる番号帯系の受付番号を発行して、前記発券手段に当該受付番号を印字した整理券を発券させることを特徴とする請求項１乃至３の何れか一項に記載の受付番号発券システム。
【請求項５】
複数の窓口のそれぞれに各業務の担当者が操作入力を行う窓口操作手段を備え、該窓口操作手段は、担当者の選択操作に基づいて発行した受付番号の呼び出しを優先させる担当者優先呼出モードを選択可能な呼出モード選択手段を備え、前記制御手段は、前記呼出モード選択手段によって担当者優先呼出モードが選択されている窓口の前記窓口操作手段で受付番号の呼出操作がなされた場合、担当者表示の選択操作に基づいて発行された受付番号を、業務の選択操作に基づいて発行された受付番号よりも優先して前記呼出手段によって報知することを特徴とする請求項１乃至４の何れか一項に記載の受付番号発券システム。
【発明の詳細な説明】
【技術分野】
【０００１】
この発明は、金融機関や役所、病院等の待合スペースで待つ顧客の呼び出しに用いられる受付番号発券システムに関するものである。
【背景技術】
【０００２】
受付番号発券システムにあっては、例えば金融機関の場合、ディスプレイ上に預金、振込み、両替、融資等の業務メニューが表示され、来店した顧客がディスプレイ上のタッチパネルによって業務を選択すると、選択された当該業務に応じて順番待ちの発券レシートを発行し、その順番がくると報知器によってアナウンスするものが知られている（例えば、特許文献１参照）。
【特許文献１】特開平１０−３２０４８２号公報
【発明の開示】
【発明が解決しようとする課題】
【０００３】
しかしながら、上述の受付番号発券システムは、業務に応じた受付番号しか発行することができないため、例えば、窓口の担当者を指定して対応して貰いたい顧客の場合、受付番号発券システムを用いずに、フロアマネージャーなどのフロア担当者を介して順番待ちの受付を行い個別に呼び出して貰わなければならず順番待ちの受付手順が煩雑になるという課題がある。
【０００４】
そこで、この発明は、特定の窓口担当者を指名して窓口担当者別に受付順を登録することができる受付番号発券システムを提供するものである。
【課題を解決するための手段】
【０００５】
上記の課題を解決するために、請求項１に記載した発明は、複数の業務の一覧表示が可能な表示手段と、該表示手段に表示された複数の業務の一覧表示の中から所望の業務を選択可能な操作手段と、受付番号が印字された整理券を発券する発券手段と、前記受付番号を報知して複数の窓口の中から特定の窓口への誘導を行う呼出手段と、前記操作手段による選択結果に基づいて前記発券手段の発券を制御するとともに、前記呼出手段による受付番号の報知を制御する制御手段とを備える受付番号発券システムにおいて、前記表示手段は、各業務を担当する複数の担当者の一覧表示が可能であり、前記操作手段は、前記表示手段の前面に配置されたタッチパネル手段によって構成され、複数の担当者の一覧表示の中から特定の担当者表示を選択可能に構成されるとともに、前記表示手段の表示内容の切換操作を行う切換操作手段を備え、該切換操作手段は、前記表示手段の複数の業務が表示される領域以外の画面領域に表示される、切換操作を想起しない隠しボタンの位置を示す目印としてのロゴ、文字、デザイン模様、アイコンのいずれか一つまたは複数を組み合わせた表示構成上に配置され、前記制御手段は、前記切換操作手段による前記表示手段の表示内容の切換操作に基づいて、前記表示手段の複数の業務の一覧表示を複数の担当者の一覧表示に切換える表示制御を行うとともに、前記操作手段による担当者表示の選択結果に基づいて前記発券手段の発券制御を行うことを特徴とする。
【０００６】
請求項２に記載した発明は、複数の業務の一覧表示が可能な表示手段と、該表示手段に表示された複数の業務の一覧表示の中から所望の業務を選択可能な操作手段と、受付番号が印字された整理券を発券する発券手段と、前記受付番号を報知して複数の窓口の中から特定の窓口への誘導を行う呼出手段と、前記操作手段による選択結果に基づいて前記発券手段の発券を制御するとともに、前記呼出手段による受付番号の報知を制御する制御手段とを備える受付番号発券システムにおいて、前記表示手段は、各業務を担当する複数の担当者の一覧表示が可能であり、前記操作手段は、前記表示手段に隣接して配置される複数のスイッチ手段によって構成され、複数の担当者の一覧表示の中から特定の担当者表示を選択可能に構成されるとともに、前記表示手段の表示内容の切換操作を行う機能が、前記複数のスイッチ手段のうち、予め設定された所定の複数のスイッチ手段の同時操作に割り当てられており、前記制御手段は、前記操作手段による前記表示手段の表示内容の切換操作に基づいて、前記表示手段の複数の業務の一覧表示を複数の担当者の一覧表示に切換える表示制御を行うとともに、前記操作手段による担当者表示の選択結果に基づいて前記発券手段の発券制御を行うことを特徴とする。
【０００８】
請求項３に記載した発明は、請求項１又は２に記載の発明において、顧客情報を読み取る顧客情報読取手段（例えば、実施の形態における顧客認証ユニット５５）を備え、該顧客情報読取手段で読み取った顧客情報に基づいて、当該顧客が担当者の選択を行う顧客であると判定された場合に、前記表示手段の表示を複数の担当者の一覧表示に切換えることを特徴とする。
【０００９】
請求項４に記載した発明は、請求項１乃至３の何れか一項に記載の発明において、前記制御手段は、前記操作手段で担当者表示の選択操作が行われた場合、選択された当該担当者の受付情報を記憶し、前記業務が選択された場合とは異なる番号帯系の受付番号を発行して、前記発券手段に当該受付番号を印字した整理券を発券させることを特徴とする。
【００１０】
請求項５に記載した発明は、請求項１乃至４の何れか一項に記載の発明において、複数の窓口のそれぞれに各業務の担当者が操作入力を行う窓口操作手段（例えば、実施の形態における窓口操作機３０Ａ）を備え、該窓口操作手段は、担当者表示の選択操作に基づいて発行した受付番号の呼び出しを優先させる担当者優先呼出モードを選択可能な呼出モード選択手段（例えば、実施の形態におけるパターン選択キー４２）を備え、前記制御手段は、前記呼出モード選択手段によって担当者優先呼出モードが選択されている窓口の前記窓口操作手段で受付番号の呼出操作がなされた場合、担当者表示の選択操作に基づいて発行された受付番号を、業務の選択操作に基づいて発行された受付番号よりも優先して前記呼出手段によって報知することを特徴とする。
【発明の効果】
【００１１】
請求項１に記載した発明によれば、切換操作手段を操作することで、表示手段に表示されている複数の業務の一覧表示を複数の担当者の一覧表示に切り換えることができ、また、操作手段により担当者の一覧表示の中から特定の担当者表示が選択された場合に、受付番号を例えば担当者毎の受付順で登録し、当該受付番号を印字した整理券を発券手段から発券することができるため、選択された担当者の窓口呼出手段によって当該受付番号を報知して、選択した担当者のいる窓口に特別な顧客をスムーズに誘導することができる。したがって、特定の担当者を指定する場合の受付手順を簡略化して顧客や担当者の負担を軽減することができる効果がある。
【００１２】
また、切換操作手段であることを一般の顧客が想起しない表示構成とすることができるため、業務の一覧表示から担当者の一覧表示に切換えることができる者を、例えばフロアマネージャーなどの特定の者に限定することができる効果がある。
【００１３】
請求項２に記載した発明によれば、操作手段の複数のスイッチの同時操作により業務の一覧表示から担当者の一覧表示へと切換えることができるため、業務の一覧表示から担当者の一覧表示に切換えることができる者を特定の者に限定することができる効果がある。
【００１４】
請求項３に記載した発明によれば、顧客が担当者の指定を行う顧客であるということを、例えば、予め登録した顧客情報により判定できるため、担当者の一覧表示で選択操作が行うことができる顧客を特別な顧客だけに限定することができる効果がある。
【００１５】
請求項４に記載した発明によれば、業務の一覧表示から選択した場合と担当者のメニュー表示から選択した場合とで受付番号の帯系を、例えば、１〜９９、２００〜２９９などのように相違させることで、選択種別ごとに受付番号の差別化を図ることができるため、とりわけ担当者を指定した顧客が報知された番号を容易に認識することができる効果がある。
【００１６】
請求項５に記載した発明によれば、呼出モード選択手段により担当者優先呼出モードを選択することで担当者の選択操作に基づいて発行した受付番号を業務の選択操作に基づいて発行した受付番号よりも優先して報知できるため、担当者を指定する特別な顧客に対して迅速に対応してサービスの向上を図ることができる効果がある。
【発明を実施するための最良の形態】
【００１７】
本発明の一実施形態の受付番号発券システムを図面を参照して以下に説明する。
図１，２は受付番号発券システムの全体構成を示している。この受付番号発券システムは、銀行等の金融機関に設置されるもので、フロア内の所定位置に配置され来店した顧客又はフロアマネージャーが操作する受付番号発券機２０と、フロアに設置された窓口カウンターＤＡ〜ＤＣ毎に配置され主に窓口担当者が操作して顧客を呼び出す窓口操作機３０Ａ〜３０Ｃと、これら受付番号発券機２０および窓口操作機３０Ａ〜３０Ｃに接続されシステムを統括する管理ＰＣ１０とを備えている。なお、この実施の形態では、窓口が３箇所に設けられている場合を一例に説明する。
【００１８】
受付番号発券機２０は、操作表示部２１と発券部２４とを備え、操作表示部２１は、液晶等のディスプレイ２２と、このディスプレイ２２上に設けられ顧客又はフロアマネージャーが触れることでディスプレイ２２に表示された項目の選択操作が可能なタッチパネル２３とで構成されている。ディスプレイ２２には、管理ＰＣ１０の制御信号に基づいて所定の画面が表示されるように構成され、一方、タッチパネル２３への操作入力の結果は、管理ＰＣ１０に向けて送信される。
【００１９】
発券部２４は、操作表示部２１への入力結果に基づいて管理ＰＣ１０で発行された受付番号をレシートに印字して発券する。なお、発券部２４が印字する媒体はレシートに限られるものではなく、例えば、受付番号の印字と消去とを繰り返し行うことができるカードなどを用いてもよい。
【００２０】
窓口操作機３０Ａ〜３０Ｃは、例えば図２に示すようにの窓口カウンターＤＡ〜ＤＣにそれぞれ配置されている。ここで、窓口操作機３０Ａ〜３０Ｃはそれぞれ同一構成であるため、以下、窓口操作機３０Ａの構成のみ説明し窓口操作機３０Ｂ，３０Ｃの説明を省略する。
【００２１】
窓口操作機３０Ａは、窓口担当者が操作する誘導操作部３２Ａと、この誘導操作部３２Ａの操作入力に基づいて顧客を呼び出す報知ユニット３１Ａとを備えている。報知ユニット３１Ａは図示しない番号表示部と音声出力部とを有し、番号表示部で受付番号を表示すると同時に音声出力部で受付番号の音声出力を行うことで、店舗内で呼出しを待っている顧客に対して受付番号を報知して、報知した受付番号が印字されたレシートを持っている顧客だけを当該窓口カウンターＤＡへと誘導する。
【００２２】
誘導操作部３２Ａは、液晶３４とＬＥＤランプ３５と、テンキー３６ａを含む複数の機能別キー３６とを有しており、この機能別キー３６の中には顧客呼出機能が割り付けられた呼出キー３７、再呼出キー３８、および優先呼出キー３９等が設けられている。
【００２３】
ここで、窓口担当者が呼出キー３７を操作すると、窓口操作機３０Ａは、管理ＰＣ１０に対して当該窓口において処理可能な業務の範囲で、次に呼び出すべき受付番号の情報を要求する。そして、窓口操作機３０Ａは、この要求により管理ＰＣ１０から受付番号の情報が送信されてくると、当該受付番号の情報に基づいて報知ユニット３１Ａの報知制御を行う。再呼出キー３８は、顧客が呼出し番号を聞き漏らしたと思われる場合に操作する操作キーであり、窓口担当者がこの再呼出キー３８を操作すると、例えば、窓口操作機３０Ａは、直前に報知を行った受付番号を再度報知すべく、前回報知した受付番号にて報知ユニット３１Ａの報知制御を行う。
【００２４】
優先呼出キー３９は、発券順および受付番号順に関わらず特定の受付番号の顧客を呼び出す際に操作する操作キーであり、窓口担当者がこの優先呼出キー３９を操作して、さらにテンキー３６ａによって呼び出したい受付番号を入力操作すると、窓口操作機３０Ａは、テンキー３６ａで入力された受付番号を報知ユニット３１Ａによって報知する。なお、各窓口操作機３０Ａ〜３０Ｃから管理ＰＣ１０に送信される情報には、送信元の窓口カウンターＤＡ〜ＤＣを識別するための情報が含まれ、情報の送信元が判別できるように構成されている。
【００２５】
誘導操作部３２Ａは、機能別キー３６の中に、顧客の待ち人数、待ち時間などの受付情報を取得するための情報取得機能が割り付けられた情報取得キー４０を備えている。窓口担当者がこの情報取得キー４０を操作すると、窓口操作機３０Ａは管理ＰＣ１０に対して当該窓口操作機３０Ａが配置された窓口カウンターＤＡにおいて処理可能な業務の範囲内で、顧客の待ち人数、待ち時間などの受付情報を要求する。窓口操作機３０Ａは、管理ＰＣ１０から当該受付情報が送信されてくると、誘導操作部３２Ａに設けられている液晶３４に当該受付情報を表示する。
【００２６】
また、誘導操作部３２Ａは、管理ＰＣ１０に予め登録されている複数の呼出パターンの選択を行う呼出パターンごとに設けられた複数のパターン選択キー４１〜４４を備えている。なお、図３では、パターン選択キー４１〜４４が４個だけ設けられている場合を示しているが、例えば、窓口担当者が処理可能な業務区分が多数ある場合は、選択できる呼出パターンが多数存在するため、この呼出パターンの数だけパターン選択キーが設けられることとなる。
【００２７】
誘導操作部３２Ａには、窓口担当者が着席した際にログイン操作を行うためのログインキー４５が設けられている。このログインキー４５は、テンキー３６ａや決定操作を行うエンターキー４６とともに使用され、例えば、ログインキー４５を操作した後に、テンキー３６ａにより窓口担当者ごとに予め付与された識別番号を入力してエンターキー４６を操作すると、誘導操作部３２Ａから、管理ＰＣ１０に識別番号が送信されるようになっている。そして、管理ＰＣで識別信号が突合されて誘導操作部３２Ａの操作を許可する旨のアンサーバックがあると、誘導操作部３２Ａのすべての操作入力が有効になる。
【００２８】
また、誘導操作部３２Ａには、機能キー４７が設けられている。この機能キー４７は、様々な機能メニューを呼び出すためのものであり、この機能キー４７を操作すると液晶３４に、例えば、ログアウト操作を行うためのメニューや、受付番号発券機２０のディスプレイ２２への窓口担当者氏名の表示・非表示設定を選択するためのメニューなど、各種機能メニューが表示される。そして、これら機能メニューの何れかを選択してエンターキーで決定操作を行うことで、窓口担当者のログアウトや、窓口担当者氏名の表示・非表示の設定などを行うことができる。なお、誘導操作部３２Ａ〜３２Ｃにログアウトや窓口担当者氏名の表示・非表示設定を行うための専用キーを設けるようにしてもよい。
【００２９】
管理ＰＣ１０は、店舗内の管理者席などに設置され、図１に示すように液晶ディスプレイなど画面表示を行う表示部１１と、キーボード等からなる入力部１２と、各種プログラムを実行する制御部１４と、この制御部１４にて実行されるプログラム、種々の設定情報および入力情報等の各種情報や受付番号のデータベースなどを記憶する記憶部１３を備えている。
【００３０】
管理ＰＣ１０の制御部１４は、ディスプレイ２２の表示制御を行うものであり、入力部１２への所定の操作入力に基づいて、例えば、受付番号発券機２０のディスプレイ２２に表示される画面の構成を任意の構成に変更したり、ディスプレイ２２に表示される画面構成を任意の画面構成に切り換えることが可能になっている。
【００３１】
ここで、上記受付番号発券機２０のディスプレイ２２に表示される初期画面の構成として、図４に示すように、金融機関等の窓口業務として受け付け可能な複数の業務の業務メニューボタン５０の一覧が表示される。一覧表示される業務メニューボタン５０としては、例えば、「ご預金のお手続き・資産運用のご相談」、「相続・遺言に関するご相談」、「不動産に関するご相談」、「住宅ローン」、「その他（貸金庫・各種お届け）」、「通帳切替・ご記帳」などの業務メニューボタン５０があり、これら各業務メニューボタン５０には待ち人数の表示が選択的に表示可能なっている。また、設置される店舗毎にその規模や業務形態が異なるため、設置店舗に対応した業務メニューボタン５０の一覧が、当該店舗の受付番号発券機２０のディスプレイ２２に表示可能に構成されている。ここで、図５に示すのは、業務メニューが少ない店舗の一例であり、上述した入力部１２への所定の操作入力により、受付番号発券機２０のディスプレイ２２に初期画面として表示される業務メニューボタン５０が「普通預金・通帳切替・公共料金・振込等」および「定期預金・投資信託・保険商品等」の２個のみになっている。
【００３２】
また、ディスプレイ２２に表示される初期画面には、上記業務メニューボタン５０の一覧の表示に加え、画面切換ボタン５１が表示されている。この画面切換ボタン５１は、画面の縁部分に金融機関などの名称、店舗名、又は店舗のロゴ、アイコン、及びデザイン・模様などのうち少なくとも何れか一つで構成され、これら金融機関の名称、店舗名、ロゴ、アイコン、およびデザイン・模様などの表示上のタッチパネル２３への接触操作に対して画面切換機能が割り付けられている。要するに、これら金融機関の名称、店舗名、ロゴ、アイコン、およびデザイン・模様などを隠しボタンの位置を示す目印としている。なお、金融機関などの名称、店舗名、又は店舗のロゴ、アイコン、及びデザイン・模様などは、一見しただけでは何らかの機能が割り付けられていることが判別しにくいものであればよい。また、画面切換ボタン５１は、管理ＰＣ１０により適宜変更可能に構成してもよく、また、上述した金融機関などの名称、店舗名、又は店舗のロゴ、アイコン、及びデザイン・模様などに限られるものではない。なお、図４に示す画面切換ボタン５１は金融機関のロゴで構成された場合を示している。
【００３３】
管理ＰＣ１０は、ディスプレイ２２上に表示された画面切換ボタン５１が操作された場合、受付番号発券機２０のディスプレイ２２に表示されている初期画面を担当者選択画面に切り換えるように設定されている。図６は、担当者選択画面の一例を示したものであり、この図６に示すように、担当者選択画面は、窓口担当者氏名ボタン５２が一覧表示されている。管理ＰＣ１０は、各窓口カウンターＤＡ〜ＤＣに着座した時に窓口担当者によって行われるログイン操作及びログアウト操作に基づいて窓口担当者の在席・不在を判定した在席情報と、予め記憶された当該店舗に在籍している窓口担当者の氏名情報とを受付番号発券機２０に送信し、担当者選択画面に窓口担当者氏名ボタンの一覧を表示させる。
【００３４】
そして、窓口担当者が在席している場合には、これら窓口担当者氏名ボタン５２に記載の文字を普通文字としてタッチパネル２３による選択設定を可能とするアクティブ状態とし、不在の場合には普通文字よりも薄い文字としてタッチパネル２３による選択設定を不可とする非アクティブ状態とする。また、窓口担当者指名ボタン５２には、窓口担当者の氏名と、当該窓口担当者を選択している顧客の待ち人数と、窓口カウンターに割り振られた窓口ナンバーが記載されている。さらに、担当者選択画面には、画面切換ボタン５１であることを知らずに一般の顧客が誤って操作した場合に初期画面に戻るための戻るボタン５３が表示される。なお、上記担当者選択画面では、普通文字をアクティブ状態、薄い文字を非アクティブ状態とした場合について説明したが、アクティブ状態と非アクティブ状態の区別が可能であればこれらに限られるものではない。例えば、アクティブ状態を黒文字とし、非アクティブ状態を赤文字とするなど、文字色の変化による区別も含まれる。
【００３５】
管理ＰＣ１０によって表示制御される担当者選択画面は、画面切換ボタン５１が操作された後、所定時間経過後に再度初期画面に戻るように設定されている。顧客やフロアマネージャーなどが、担当者選択画面が表示されている間に複数の窓口担当者氏名ボタン５２のうちアクティブ状態の特定の窓口担当者氏名ボタン５２上のタッチパネル２３に触れると、当該窓口担当者が選択され、当該窓口担当者の担当者情報が受付番号発券機２０から管理ＰＣ１０に送信される。ここで、窓口担当者氏名ボタン５２の一覧からアクティブ状態の特定の窓口担当者氏名ボタン５２が選択された場合、該当する窓口担当者が窓口操作機３０Ａに在席していることから、管理ＰＣ１０から窓口操作機３０Ａに向けて受付番号発券機２０で担当者選択が行われた旨の情報が送信され、誘導操作部３２ＡのＬＥＤランプ３５（図３参照）が点灯するようになっている。
【００３６】
管理ＰＣ１０は、受付番号発券機２０から担当者情報を受信すると、窓口担当者毎に管理している未発行の受付番号を、若い番号から順に発行して、この発行した受付番号の情報を受付番号発券機２０に送信する。同時に、管理ＰＣ１０は、この送信した受付番号を発行済みの受付番号として、データベースの内容の更新記憶を行う。
【００３７】
より具体的には、管理ＰＣ１０では、初期画面で業務メニューボタン５０が選択された場合、受付番号を業務の種類毎に、例えば、Ａ業務の場合００１〜２００、Ｂ業務の場合３０１〜４００など異なる番号帯で発行するように設定されている。さらに、担当者選択画面で特定の窓口担当者を選択した場合、受付番号を９０１〜９９９などのように業務メニューを選択した場合と明らかに異なる番号帯を用いて区別して発行するように設定される。そして、これら発行された受付番号の情報は記憶部１３のデータベースに更新記録される。ここで、各番号帯の最大の番号が発行された後は、該当する番号帯の最初の番号すなわち最小の番号に戻るようになっている。なお、窓口担当者を選択する場合は、窓口担当者Ａが５００番台、窓口担当者Ｂが６００番台などと窓口担当者毎に番号帯を区別してもよく、また、同一番号帯の中に所定の範囲を設定して区別してもよい。そして、３桁の受付番号を一例に説明したが、受付番号は３桁に限られるものではない。
【００３８】
管理ＰＣ１０には、上述した複数の呼出パターンが記憶部１３に予め登録され、管理ＰＣ１０の制御部１４は、誘導操作部３２Ａに設けられたパターン選択キー４１〜４４への操作入力に基づいて、当該パターン選択キー４１〜４４に対応する呼出パターンを選択し、この選択された呼出パターンにてパターン選択キー４１〜４４を操作した窓口操作機３０Ａにおける呼出制御を行うように設定されている。ここで、呼出パターンとしては、例えば、窓口担当者が処理可能な業務の範囲で発券順すなわち受付番号順に呼び出しを行う通常パターン（選択１）、窓口担当者を選択した受付番号を優先的に呼び出し、該当する受付番号が存在しない場合には受付番号順に呼び出す担当者優先呼出パターン（選択２）、窓口担当者を選択した受付番号のみを呼び出す担当者呼出パターン（選択３）、特定の業務（業務メニュー）を選択して発行された受付番号のみを受付番号順に呼び出す特定業務呼出パターン（選択４）、等の呼出パターンがあり、処理可能な業務が多数ある窓口担当者が存在する店舗では、この業務の数に応じた数の呼出パターンが予め管理ＰＣ１０に登録可能となっている。
【００３９】
管理ＰＣ１０は、誘導操作部３２Ａの情報取得キー４０が操作されると、当該窓口カウンターで処理可能な業務における現在の顧客の待ち時間の情報や現在の待ち人数の情報を誘導操作部３２Ａに送信するように設定されている。この管理ＰＣ１０から送信された待ち時間の情報や待ち人数の情報は、誘導操作部３２Ａの液晶３４上に表示されるため、窓口担当者は、担当する窓口カウンターの現在の顧客の待ち人数、待ち時間等の情報を認識することができる。すなわち、窓口担当者は、窓口カウンターＤＡで前の顧客の応対が終了する毎に、液晶３４に表示される待ち人数、待ち時間等の情報を確認して誘導操作部３２Ａのパターン選択キー４１〜４４を選択操作することができるため、常に最適な呼出パターンを選択して次の顧客の受付番号を報知ユニット３１Ａにて呼び出すことができる。
【００４０】
次に、上述した受付番号発券システムの作用を説明する。
まず、店舗の業務を開始する際に、受付番号発券システムを立ち上げると、管理ＰＣ１０の制御部１４はイニシャライズが終了した後に、受付番号発券機２０の画面上に初期画面である業務メニューの一覧表示を行う。
【００４１】
また、窓口カウンターＤＡに着席した窓口担当者により所定のログイン操作が行われ、その後、呼出パターンが選択されると、窓口操作機３０Ａから管理ＰＣ１０に向けて、呼出パターンの入力情報が送信される。
管理ＰＣ１０は、呼出パターンの選択情報を受信すると、この選択情報が送信されてきた窓口操作機３０Ａに対して、当該ログインした窓口担当者に対応した業務範囲および選択された呼出パターンで呼出制御を開始する。
【００４２】
店舗に顧客が来店すると、一般的には、フロアマネージャーが顧客から要件を聞き、代理で顧客の利用したい業務メニューを受付番号発券機２０の操作表示部２１への操作入力を行うこととなる。フロアマネージャーによって操作表示部２１へ業務メニューの選択が行われると、選択された業務メニュー情報が受付番号発券機２０から管理ＰＣ１０に送信される。管理ＰＣ１０は、送信されてきた業務メニュー情報をデータベース内で検索し、選択された業務に対応する番号帯のうち未発行の最も若い番号を受付番号として発行して、この受付番号情報を受付番号発券機２０に送信する。これにより、管理ＰＣ１０から送信された受付番号情報に含まれる受付番号が発券部２４でレシートに印字されて発券される。また、管理ＰＣ１０は、受付番号発券機２０に送信した受付番号を、発行済みの受付番号としてデータベースに記録する。
【００４３】
一方、特別な顧客が来店したり、一般の顧客の中で特定の窓口担当者を指定したいと要望する顧客が来店した場合、フロアマネージャーが操作表示部２１の初期画面の縁部分に表示されている画面切換ボタン５１を操作すると、受付番号発券機２０から管理ＰＣ１０に対して画面切換ボタン５１が操作された旨の画面切換情報が送信される。
【００４４】
一方、管理ＰＣ１０は、窓口操作機３０Ａの入力情報に基づいて担当者の在席・不在を判定して、この結果を在席情報として記憶部１３に記憶する。
管理ＰＣ１０は、画面切換情報を受付番号発券機２０から受信すると、在席情報を呼び出して窓口担当者の氏名一覧情報とともに受付番号発券機２０に送信する。管理ＰＣ１０から送信されてきた担当者の氏名一覧情報と在席情報との各情報が反映された担当者選択画面が受付番号発券機２０のディスプレイ２２に表示される。
【００４５】
フロアマネージャーがタッチパネル２３に触れて担当者選択画面で特定の窓口担当者氏名ボタン５２を選択すると、選択された窓口担当者の氏名を含む担当者選択情報が受付番号発券機２０から管理ＰＣ１０に送信される。
管理ＰＣ１０は、担当者選択情報を受信すると、当該担当者選択情報に基づいて、選択された窓口担当者氏名ボタンに対応する番号帯のうち未発行の最も若い番号を受付番号として発行して、この受付番号情報を受付番号発券機２０に送信する。これにより、受付番号発券機２０の発券部２４で管理ＰＣ１０から受信した当該受付番号情報に含まれる受付番号がレシートに印字されて発券される。また、管理ＰＣ１０は、受付番号発券機２０に送信した受付番号を、発行済みの受付番号としてデータベースに更新記憶させる。
【００４６】
管理ＰＣ１０は、窓口カウンターＤＡに設置された誘導操作部３２Ａの呼出キー３７が操作されると、当該窓口カウンターＤＡで選択されている呼出パターンに従ってデータベースを参照し、該当する受付番号の受付番号情報を窓口操作機３０Ａに向けて送信する。例えば、窓口担当者を選択した受付番号を優先的に呼び出し、該当する受付番号が存在しない場合には受付番号順に呼び出す、という呼出パターンが窓口操作機３０Ａで選択されている場合には、窓口操作機３０Ａの誘導操作部３２Ａで呼出キー３７が操作されると、管理ＰＣ１０は、データベースの窓口担当者を選択して発行された受付番号を検索して、該当する受付番号のうち最先の受付番号を窓口操作機３０Ａに送信する。また窓口担当者を選択して発行された受付番号がデータベース中に無い場合には、業務を選択して発行された受付番号を検索して最先の受付番号を窓口操作機３０Ａに送信する。すると、窓口操作機３０Ａの誘導操作部３２Ａにより、管理ＰＣ１０から受信した受付番号情報に含まれる受付番号が報知されることとなる。
【００４７】
したがって、上述した実施の形態によれば、ディスプレイ２２に表示された複数の業務メニューボタン５０の一覧表示を、画面切換ボタン５１の操作により担当者選択画面に切換えて、この担当者選択画面を表示している際に、タッチパネル２３によって特定の窓口担当者氏名ボタン５２が選択されると、窓口担当者別に受付番号を発行して当該受付番号をデータベースに登録するとともに、当該受付番号が印字されたレシートを発券部２４から発券することができるため、特定の担当者を指定する場合の受付手順を簡略化して顧客やフロアマネージャーなどの負担を軽減することができる。
【００４８】
また、画面切換ボタン５１であることを一般の顧客が想起しない表示構成、すなわち画面の縁部分に配置される金融機関などの名称、店舗名、又は店舗のロゴ、アイコン、及びデザイン・模様などのうち少なくとも何れか一つの表示構成とすることで、初期画面である業務メニューボタン５０の一覧表示から、担当者選択画面である窓口担当者氏名ボタン５２の一覧表示に切換えることができる者を、画面切換ボタン５１について事前に知らされているフロアマネージャー等に限定することができる。
【００４９】
さらに、業務メニューボタン５０を選択した場合と窓口担当者氏名ボタン５２を選択した場合とで受付番号の帯系を、例えば、１００番台、２００番台などのように相違させることで、選択の種別ごとに受付番号の差別化を図ることができるため、担当者選択画面の操作入力により発券した顧客が、報知された番号を容易に認識することができる。
【００５０】
そして、窓口操作機３０Ａのパターン選択キー４２により担当者優先呼出パターンを選択することで窓口担当者氏名ボタン５２の選択操作に基づいて発行した受付番号を、業務メニューボタン５０の選択操作に基づいて発行した受付番号よりも優先して報知できるため、窓口担当者を指定する特別な顧客に対するサービスの向上を図ることができる。
【００５１】
なお、上述した実施の形態では、窓口カウンターＤＡに設けられた窓口操作機３０Ａについてのみ説明したが、窓口操作機３０Ｂ，３０Ｃについても窓口操作機３０Ａと同様の構成であり、これらの呼出制御は管理ＰＣ１０により個別に行われることとなる。また、窓口カウンターは３箇所に限られるものではない。
【００５２】
次に、上述した実施の形態の第１変形例を図７を参照しながら説明する。なお、この実施の形態の第１変形例は、例えば、事業形態や運用形態もしくは店舗規模などの理由で、フロアマネージャーを常駐できない、又は、フロアマネージャーが不在となる場合がある金融機関等の店舗において、上述した受付番号発券機２０の操作を顧客自ら操作する運用形態が存在するため、このような運用形態に適用させるためのものである。なお、上述した実施の形態と同一部分に同一符号を付して説明する（以下、第２変形例も同様）。
【００５３】
図７に示すように、この第１変形例の受付番号発券システムでは、受付番号発券機２０に隣接して顧客認証ユニット５５が設けられている。この顧客認証ユニット５５は、顧客を特定するための認証処理を行うためのものであり、カード情報を読み込むカードリーダ５６を備えている。このカードリーダ５６で読み込まれたカード情報は、受付番号発券機２０を経由して管理ＰＣ１０に送信されるように構成されている。なお、顧客認証ユニット５５は受付番号発券機２０と一体的に設けてもよい。
【００５４】
ここで、特別な顧客に対しては、金融機関等が特定の顧客にのみ提供する窓口担当者指定カードが事前に配布される。この窓口担当者指定カードを顧客が自らカードリーダに通すことで、カード情報が管理ＰＣ１０に送信される。
【００５５】
管理ＰＣ１０は、カードリーダ５６で読み取られたカード情報を受信すると、このカード情報に基づいて当該カード情報が特別な顧客に配布される窓口担当者指定カードであるか否かを判定し、当該窓口担当者指定カードであると判定された場合、受付番号発券機２０のディスプレイ２２に表示されている業務の一覧表示である初期画面を担当者選択画面に切り換える。すなわち、顧客が窓口担当者指定カードをカードリーダに通すことで、自動的に受付番号発券機２０のディスプレイ２２に窓口担当者氏名が一覧表示された担当者選択画面を表示させることができる。
【００５６】
なお、上記第１変形例では、特別な顧客にのみ配布される担当者指定カードを用いる一例を説明したが、一般的な顧客にも配布されるキャッシュカード等のカードを用いて担当者選択画面への切り換えの要否を判定することができる。
【００５７】
具体的には、管理ＰＣ１０のデータベースに、予め特別な顧客のＩＤにだけ窓口担当者を選択する顧客である旨の情報を対応付けて記憶させておき、キャッシュカードに予め記録された顧客別のＩＤをカードスロットで読み取って、この顧客別のＩＤを管理ＰＣ１０に送信して突合させる。そして、上記データベースに登録されているＩＤの中に受信した顧客別のＩＤが存在する場合、このＩＤに対応付けられた情報に窓口担当者を選択する顧客である旨の情報が含まれるか否かを判定して、窓口担当者を選択する顧客である旨の情報が含まれていると判定された場合には、受付番号発券機２０のディスプレイ２２の画面を初期画面から担当者選択画面に切り換える。
【００５８】
このように構成にすることで、キャッシュカード等の顧客が既に利用しているカードを用いて受付番号発券機２０のディスプレイ２２の画面を初期画面から担当者選択画面に自動的に切り換えることができる。
【００５９】
なお、担当者選択を行う特別な顧客であるか否かの判定を行うには、上述したカードを利用して行う方法以外に、例えば、預金通帳と通帳リーダを用いた方法や、指紋認証、指静脈認証、及び掌認証などの生体認証ユニットを利用する方法等、種々の方法を採用することができる。
【００６０】
上述した実施の形態の第１変形例によれば、顧客が自ら受付番号発券機２０の操作を行う運用形態であっても、予めデータベースに登録された顧客情報に基づいてディスプレイ２２の画面を初期画面から担当者選択画面に自動的に切り換えることができるため、容易に窓口担当者の選択を行って受付番号が印字されたレシートを発券させることができ、この結果、特別な顧客に対してのサービス向上を図ることができる。
【００６１】
また、窓口担当者の選択を行う顧客であるということを、例えば、データベースに登録された顧客情報を参照して判定できるため、担当者選択画面の窓口担当者氏名ボタン５２の一覧表示で選択操作を行うことができる顧客を特別な顧客だけに限定することができる。
【００６２】
次に、上述した実施の形態の第２変形例を図８を参照しながら説明する。なお、この第２変形例は、液晶画面のサイズの制約やコストの制約等の様々な理由によって、上述した実施の形態のタッチパネル２３を、ディスプレイ２２とは個別に設けられた押しボタン式のキー操作部５７に置き換えたものである。
【００６３】
この第２変形例の受付番号発券システムは、受付番号発券機２０の操作部として、押しボタン式のキー操作部５７を備えている。このキー操作部５７はいわゆるテンキー５８、エンターキー５９およびファンクションキー６０などを含む複数のキーで構成され、その操作入力が入力情報として管理ＰＣ１０に送信されるようになっている。受付番号発券機２０のディスプレイ２２に表示される業務や担当者氏名にはそれぞれ番号が割り付けられて表示され（図示せず）、この番号をテンキー５８で入力することによって業務や担当者氏名を選択できるようになっている。
【００６４】
また、ファンクションキー６０は、ディスプレイ２２に表示されている初期画面を担当者選択画面に切り換えるための画面切換ボタン５１ａを備えている。この画面切換ボタン５１ａは、例えば、一般の顧客が興味本位で操作しないように、一見しただけでは画面切換ボタン５１ａがあると気づきにくいように、開閉可能なカバーによって覆われている。なお、画面切換ボタン５１ａに限らず普段は使用しない予備的に存在するファンクションキー６０に対してカバーを設けてもよい。
【００６５】
一方、配置スペースの都合等により、画面切換ボタン５１ａがファンクションキー６０として設けることができない場合、キー操作部５７の複数のキーの中で、予め設定された所定の２個以上（例えば、２〜３個程度）のキーの同時操作に対して上述した画面切換ボタン５１の機能を割り付けるようにしてもよい。
【００６６】
このように構成することで、コストや設置スペースの都合でタッチパネル２３を採用できない場合であっても、一般の顧客が一見しただけでは画面切換用のボタンとわからない、通常カバーされている画面切換ボタン５１ａが押下されたり、キー操作部５７の予め設定された所定の２個以上のキーの同時操作がなされた場合に、管理ＰＣ１０にその入力情報が送信され、そして、この入力情報を受信した管理ＰＣ１０は、受付番号発券機２０のディスプレイ２２に表示される画面を初期画面から窓口担当者選択画面へ切換制御する。
【００６７】
したがって、上述した実施の形態の第２変形例によれば、キー操作部５７のうち画面切換ボタン５１ａの操作または、キー操作部５７の複数のキーの同時操作により初期画面である業務メニューボタン５０の一覧表示から担当者選択画面である窓口担当者氏名ボタン５２の一覧表示へと切換えることができるため、初期画面から担当者選択画面に切換えることができる者を、事前に操作方法を知らされている特別な顧客やフロアマネージャーなどに限定することができる。
【００６８】
なお、この発明は上述した実施の形態、第１変形例および第２変形例に限られるものではなく、例えば、カードに予め窓口担当者氏名の情報を記録し、この窓口担当者指定カードをカードリーダに通すことで、窓口担当者指定カードに記録されている窓口担当者情報を管理ＰＣ１０に送信して発券部２４にレシートを発券させるようにしてもよい。
また、窓口担当者の氏名が記載された担当者氏名ボタン５２を選択する場合について説明したが、窓口担当者が特定できるものであれば氏名に限られるものではなく、例えば、窓口担当者の顔画像などを表示させるようにしても良い。
【図面の簡単な説明】
【００６９】
【図１】本発明の実施の形態における受付番号発券システムのブロック図である。
【図２】本発明の実施の形態における受付番号発券システムの概略構成図である。
【図３】本発明の実施の形態における誘導操作部の平面図である。
【図４】本発明の実施の形態における受付番号発券機の初期画面の説明図である。
【図５】本発明の実施の形態における受付番号発券機の初期画面の他の態様の説明図である。
【図６】本発明の実施の形態における受付番号発券機の窓口担当者選択画面の説明図である。
【図７】本発明の実施の形態の第１変形例における受付番号発券システムのブロック図である。
【図８】本発明の実施の形態の第２変形例における受付番号発券システムのブロック図である。
【符号の説明】
【００７０】
１０  管理ＰＣ（制御手段）
２２  ディスプレイ（表示手段）
２３  タッチパネル（操作手段）
２４  発券部（発券手段）
３０Ａ〜３０Ｃ  窓口操作機（窓口操作手段）
３１Ａ〜３１Ｃ  報知ユニット（呼出手段）
４２  パターン選択キー（呼出モード選択手段）
５１  画面切換ボタン（切換操作手段）
５５  顧客認証ユニット（顧客情報読取手段）
５７  キー操作部（操作手段）
【図１】
0005103125.tif 000002
【図２】
0005103125.tif 000003
【図３】
0005103125.tif 000004
【図４】
0005103125.tif 000005
【図５】
0005103125.tif 000006
【図６】
0005103125.tif 000007
【図７】
0005103125.tif 000008
【図８】
0005103125.tif 000009